(57)【要約】【課題】簡易な構成によりカセット内の現金を安定して回収することができる。【解決手段】カセットが装着可能に構成され、装着された前記カセットの内部の媒体を収納する媒体収納部２２と、媒体収納部２２を閉鎖または開放可能に設けられたシャッタ２３と、シャッタ２３の上方に進退可能に設けられ、媒体収納部２２に前記カセットからの媒体を収納する前に前記媒体を一時的に保持する一時受け部６８ａと、を備える現金処理装置。【選択図】図９
2018084999.tif 000002
【特許請求の範囲】
【請求項１】
カセットが装着可能に構成され、装着された前記カセットの内部の媒体を収納する媒体収納部と、
前記媒体収納部を閉鎖または開放可能に設けられたシャッタと、
前記シャッタの上方に進退可能に設けられ、前記媒体収納部に前記カセットからの媒体を収納する前に前記媒体を一時的に保持する一時受け部と、
を備えることを特徴とする現金処理装置。
【請求項２】
前記一時受け部に連結された操作レバーと、
前記シャッタの上方から退避するための付勢力を前記一時受け部に与える第１の弾性部材と、
前記一時受け部に前記媒体が一時的に保持された後に、前記操作レバーと前記一時受け部との連結を切り離す連結切り離し機構と、をさらに備える、
ことを特徴とする請求項１に記載の現金処理装置。
【請求項３】
前記連結切り離し機構は、
前記操作レバーと一体になって移動し、回動することにより前記操作レバーと前記一時受け部との連結を切り離す回動部材と、
前記回動部材の移動方向に設置され、前記回動部材と当接することで当該回動部材を回動させるエスケープポストと、
前記回動部材に対して、前記操作レバーと前記一時受け部との連結を維持する方向に付勢力を与える第２の弾性部材と、を有する、
ことを特徴とする請求項２に記載の現金処理装置。
【請求項４】
前記媒体収納部は、筺体に形成された凹部の底面に形成されており、
前記一時受け部は、前記凹部の壁面内に収容された状態から、前記媒体収納部の上方に進出することで前記媒体収納部を覆う、
ことを特徴とする請求項１ないし請求項３の何れか一項に記載の現金処理装置。
【請求項５】
前記一時受け部の表面には、進退方向に沿って突条の凸部が形成されている、ことを特徴とする請求項１ないし請求項４の何れか一項に記載の現金処理装置。
【請求項６】
内部に媒体を収納可能なカセットと、前記カセットが装着可能に構成され、前記媒体を回収する現金処理装置とからなる現金回収システムであって、
前記カセットは、
前記媒体が回収される回収通路と、
前記回収通路を開閉する回収扉と、を備え、
前記現金処理装置は、
カセットが装着可能に構成され、装着された前記カセットの内部の媒体を収納する媒体収納部と、
前記媒体収納部を閉鎖または開放可能に設けられたシャッタと、
前記シャッタの上方に進退可能に設けられ、前記媒体収納部に前記カセットからの媒体を収納する前に前記媒体を一時的に保持する一時受け部と、を備え、
前記回収扉の開放動作は、前記一時受け部による前記シャッタの上方への進出動作に連動している、ことを特徴とする現金回収システム。
【発明の詳細な説明】
【技術分野】
【０００１】
本発明は、現金処理装置および現金回収システムに関する。
【背景技術】
【０００２】
従来、店舗のチェックアウトカウンターにおいてキャッシュレジスタが一般的に使用されている。キャッシュレジスタは、例えば、ＰＯＳ（Point Of Sales）端末と、自動釣銭機とを通信可能に接続したものとして構成される。ＰＯＳ端末は、取引金額の計算や販売した商品の記録を行う機能や記録した情報をリアルタイムで集計・管理・分析する機能を備えている。自動釣銭機は、投入された現金を計数して収納し、収納されている現金を釣銭として払い出す機能を備えている。
【０００３】
一方、店舗のバックオフィスには、キャッシュレジスタに釣銭準備金等の現金を補充し、または、キャッシュレジスタの売上金等を回収するための現金取引装置が設置されている。店員は、現金取引装置を用いて手作業によりキャッシュレジスタに現金の補充や回収を行う。
【０００４】
近年、店員による現金の補充や回収の作業におけるセキュリティを高めるために、自動釣銭機に取り外し可能なカセットを備える構成にし、このカセットを介して現金の補充や回収を行う技術が提案されている（特許文献１参照）。この技術では、例えば、現金取引装置の入金部にカセットを装着することで、カセット内の現金が現金取引装置内に搬送される。
【先行技術文献】
【特許文献】
【０００５】
【特許文献１】特開２０１２−１７４０６３号公報（段落００２８、図４）
【発明の概要】
【発明が解決しようとする課題】
【０００６】
しかしながら、特許文献１に記載される技術は、従来の手作業により現金の補充や回収を行う現金取引装置から、入金部の構成の大幅な変更が必要であるという問題があった。
【０００７】
また、入金部の構成の大幅な変更を行わずにカセットを用いた現金の補充や回収を行うことを想定した場合、入金部にカセットを装着した状態で現金を自重落下させることが考えられる。その場合に、現金（特に紙幣）が乱れて入金部にうまく収容されないという問題があった。
【０００８】
本発明は、前記問題に鑑みてなされたものであり、簡易な構成によりカセット内の現金を安定して回収することができる、現金処理装置および現金回収システムを提供することを課題とする。
【課題を解決するための手段】
【０００９】
前記課題を解決するため、本発明に係る現金処理装置は、カセットが装着可能に構成され、装着された前記カセットの内部の媒体を収納する媒体収納部と、前記媒体収納部を閉鎖または開放可能に設けられたシャッタと、前記シャッタの上方に進退可能に設けられ、前記媒体収納部に前記カセットからの媒体を収納する前に前記媒体を一時的に保持する一時受け部と、を備えることを特徴とする。
【００１０】
また、本発明に係る現金回収システムは、内部に媒体を収納可能なカセットと、前記カセットが装着可能に構成され、前記媒体を回収する現金処理装置とからなる現金回収システムであって、前記カセットは、前記媒体が回収される回収通路と、前記回収通路を開閉する回収扉と、を備え、前記現金処理装置は、カセットが装着可能に構成され、装着された前記カセットの内部の媒体を収納する媒体収納部と、前記媒体収納部を閉鎖または開放可能に設けられたシャッタと、前記シャッタの上方に進退可能に設けられ、前記媒体収納部に前記カセットからの媒体を収納する前に前記媒体を一時的に保持する一時受け部と、を備え、前記回収扉の開放動作は、前記一時受け部による前記シャッタの上方への進出動作に連動していることを特徴とする。
【発明の効果】
【００１１】
本発明によれば、簡易な構成によりカセット内の現金を安定して回収することができる。
【図面の簡単な説明】
【００１２】
【図１】本発明の実施形態に係る現金回収システムの概要図である。
【図２】現金回収システムを構成する現金取扱機の外観斜視図である。
【図３】現金取扱機が備える自動釣銭機の概略縦断面図である。
【図４】本発明の実施形態に係るカセット（外扉を閉じた状態）の外観斜視図である。
【図５】本発明の実施形態に係るカセット（外扉を閉じた状態）のＶ−Ｖ断面図である。
【図６】本発明の実施形態に係るカセット（外扉を開いた状態）の外観斜視図である。
【図７】本発明の実施形態に係るカセット（外扉を開いた状態）のＶＩＩ−ＶＩＩ断面図である。
【図８】本発明の実施形態に係る現金処理装置の外観斜視図である。
【図９】本発明の実施形態に係る現金処理装置の紙幣回収部の拡大図である。
【図１０】本発明の実施形態に係る現金処理装置の紙幣回収部の拡大図である。
【図１１】本発明の実施形態に係る現金処理装置の紙幣回収部の拡大図である。
【図１２】本発明の実施形態に係る現金処理装置が備えるカセット固定機構を説明するための図であり、（ａ）はシャッタが閉鎖されている状態の側面図であり、（ｂ）はシャッタが開放されている状態の側面図である。
【図１３】本発明の実施形態に係る現金処理装置が備えるカセット固定機構を説明するための図であり、（ａ）はカセット検知レバーによってカセットの固定が規制されている状態を示し、（ｂ）および（ｃ）はカセット検知レバーによる規制が解除された状態を示す。
【図１４】本発明の実施形態に係る現金処理装置が備える紙幣回収機構の外観斜視図である。
【図１５】本発明の実施形態に係る現金処理装置が備える紙幣回収機構の外観斜視図である。
【図１６】本発明の実施形態に係る現金処理装置が備える紙幣回収機構の平面図である。
【図１７】本発明の実施形態に係る現金処理装置が備える紙幣回収機構の平面図である。
【図１８】紙幣回収機構を構成する連結切離し機構の外観斜視図である。
【図１９】紙幣回収機構を構成する連結切離し機構のＸＩＸ−ＸＩＸ断面図である。
【図２０】紙幣回収機構を構成する連結切離し機構の外観斜視図である。
【図２１】紙幣回収機構を構成する連結切離し機構のＸＸＩ−ＸＸＩ断面図である。
【図２２】本発明の実施形態に係る現金回収システムの動作を説明するための図であり、（ａ）はカセットを現金処理装置に設置した状態を示し、（ｂ）はカセットを現金処理装置に固定した状態を示す。
【図２３】本発明の実施形態に係る現金回収システムの動作を説明するための図であり、（ａ）は操作レバーを所定位置まで移動させた状態を示し、（ｂ）は操作レバーを最終位置まで移動させた状態を示す。
【図２４】本発明の実施形態に係る現金回収システムの動作を説明するための図であり、（ａ）は現金処理装置による入金処理が行われている状態を示し、（ｂ）は現金処理装置による入金処理が完了した状態を示す。
【発明を実施するための形態】
【００１３】
以下、図面を参照して、本発明の実施の形態について詳細に説明する。各図は、本発明を十分に理解できる程度に、概略的に示してあるに過ぎない。よって、本発明は、図示例のみに限定されるものではない。また、参照する図面において、本発明を構成する部材の寸法は、説明を明確にするために誇張して表現されている。なお、各図において、共通する構成要素や同様な構成要素については、同一の符号を付し、それらの重複する説明を省略する。
【００１４】
≪実施形態に係る現金回収システムの構成≫
実施形態に係る現金回収システムＳの構成を図１に示す。現金回収システムＳは、現金取扱機１と、現金処理装置２と、現金取扱機１および現金処理装置２間における現金の移送に用いられるカセット３とから構成される。以下では、カセット３を用いて現金取扱機１から現金処理装置２へ現金を移送して入金処理を行うことを、特に「回収」と称する。
【００１５】
現金取扱機１は、現金の入出金を行う装置であり、ここでは、店舗のチェックアウトカウンターに設置されて商品の会計処理に使用されるキャッシュレジスタを想定する。現金取扱機１は、現金を収納可能なカセット３が着脱可能な構成になっている。
現金処理装置２は、現金に関する処理を行う装置であり、ここでは、店舗のバックオフィスに設置されて現金取扱機１の売上金等の回収処理に使用される現金取引装置を想定する。現金処理装置２は、カセット３を装着可能な構成になっている。
カセット３は、現金取扱機１に装着された状態で売上金等を内部に収容し、売上金等を収容した状態で取り外される。また、カセット３は、売上金等を収容した状態で現金処理装置２に装着され、売上金等を現金処理装置２に投入する。そして、売上金等の入金処理後に、カセット３は現金処理装置２から取り外される。
【００１６】
＜現金取扱機＞
図２を参照して、現金取扱機１の構成について説明する。図２に示す現金取扱機１は、ＰＯＳ端末１１と、ＰＯＳ端末１１の下部に設置された自動釣銭機１２とを備えて構成され、ＰＯＳ端末１１と自動釣銭機１２とは、通信可能に接続されている。
ＰＯＳ端末１１は、取引金額の計算や販売した商品の記録を行う機能や記録した情報をリアルタイムで集計・管理・分析する機能を備えている。自動釣銭機１２は、投入された現金を計数して収納し、収納されている現金を釣銭として払い出す機能を備えている。
【００１７】
ＰＯＳ端末１１は、表示操作部１１ａと、バーコード読取部１１ｂと、レシート印字部１１ｃとを備えて構成される。表示操作部１１ａは、例えば、タッチディスプレイであり、商品の情報が表示される。バーコード読取部１１ｂは、例えば、バーコードリーダであり、商品に付されているバーコードから商品の情報を読み取る。レシート印字部１１ｃは、例えば、熱転写プリンタであり、販売した商品の情報や取引金額を印字したレシートを発行する。
【００１８】
自動釣銭機１２は、硬貨の入出金を行うための硬貨入出金部１２ａと、紙幣の入出金を行うための紙幣入出金部１２ｂと、種々の情報を表示すると共に操作者による入力操作を受け付ける表示操作部１２ｈとを備えて構成される。
【００１９】
硬貨入出金部１２ａは、硬貨入金口１２ｃと、硬貨出金口１２ｄと、硬貨リジェクト口１２ｅとを備えて構成されている。硬貨入金口１２ｃは、入金する硬貨が投入されるように構成されている。硬貨入金口１２ｃに投入された硬貨は、自動釣銭機１２内に引き込まれて金種別に振り分けられ、図示しない硬貨収納庫に収納される。
硬貨出金口１２ｄは、出金する硬貨を集積するように構成されている。硬貨の釣銭が必要な場合に、自動釣銭機１２内に収納された硬貨は、硬貨出金口１２ｄから払い出される。
硬貨リジェクト口１２ｅは、硬貨入金口１２ｃに投入された硬貨を自動釣銭機１２内に引き込み鑑別した結果、１円、５円、１０円、５０円、１００円、５００円硬貨のいずれでもないと判断されたリジェクト硬貨が返却される返却口である。
【００２０】
紙幣入出金部１２ｂは、紙幣入出金口１２ｆと、カセット収納開口１２ｇ（図１参照）とを備えて構成されている。
紙幣入出金口１２ｆは、入金する紙幣を投入する紙幣入金口および出金する紙幣を蓄積する出金口である。紙幣入出金口２ｆに投入された紙幣は、自動釣銭機１２内に引き込まれて金種別に振り分けられる。また、紙幣入出金口１２ｆは、紙幣の釣銭が必要な場合に、自動釣銭機１２内に収納された紙幣は、紙幣入出金口１２ｆから払い出される。
カセット収納開口１２ｇは、カセット３が収納されるように構成されている。カセット収納開口１２ｇは、カセット３の形状に対応しており、カセット３が水平方向αに挿抜可能である。
【００２１】
表示操作部１２ｈは、自動釣銭機１２への現金補充に関する操作者への操作案内を表示する他、操作者（例えば、店員）による入力操作等を受け付ける。
【００２２】
図３を参照して、自動釣銭機１２の内部構成について説明する。図３に示すように、自動釣銭機１２の内部には、紙幣搬送路１２０と、紙幣鑑別部１２１と、紙幣格納庫１２２ａ，１２２ｂ，１２２ｃと、リジェクト収納部１２３とが主に収容されている。
紙幣搬送路１２０は、対向配置されたローラあるいはベルト等により構成されており、紙幣Ｂを挟持して正逆方向に搬送することができる。また、紙幣搬送路１２０は、紙幣Ｂの搬送経路を切り替えるための搬送切替ブレード１２０ａ，１２０ｂ，１２０ｃ、１２０ｄを有しており、目的の場所に紙幣Ｂを搬送可能である。なお、紙幣搬送路１２０には、紙幣Ｂの通過を検知するための図示しないセンサが複数配置してある。
【００２３】
この構成により、紙幣搬送路１２０は、例えば、入金処理時において、紙幣入出金口１２ｆに投入された紙幣Ｂを、紙幣鑑別部１２１を経由して紙幣格納庫１２２ａ、１２２ｂ、１２２ｃ、リジェクト収納部１２３に搬送する。また、紙幣搬送路１２０は、出金処理時において、紙幣格納庫１２２ａ、１２２ｂ、１２２ｃに格納された紙幣Ｂを、紙幣鑑別部１２１を経由して紙幣入出金口１２ｆへ搬送する。また、紙幣搬送路１２０は、現金回収時において、紙幣格納庫１２２ａ、１２２ｂ、１２２ｃに格納された紙幣Ｂを、紙幣鑑別部１２１を経由してカセット３へ搬送する。
【００２４】
紙幣鑑別部１２１は、紙幣入出金口１２ｆから搬送されてきた紙幣の金種や正損を鑑別する。
紙幣格納庫１２２ａ、１２２ｂ、１２２ｃは、図示しないステージを有し、そのステージ上に紙幣Ｂを落下させて集積する。例えば紙幣格納庫１２２ａには千円券を収納し、紙幣格納庫１２２ｂには５千円券、紙幣格納庫１２２ｃには２千円券と１万円券を混在させて収納する。また、紙幣格納庫１２２ａ、１２２ｂ、１２２ｃは、最上位に積まれている紙幣Ｂを紙幣搬送路１２０に繰り出すための図示しない紙幣繰出機構を有する。なお、紙幣格納庫１２２ａ、１２２ｂは、顧客に釣銭として用いる紙幣Ｂを収納する釣銭用紙幣収納庫としても運用されているものとし、釣銭用として予め準備された釣銭準備金が店員によって収納される。
【００２５】
リジェクト収納部１２３は、入金処理時に欠損等によって釣銭に適さないと鑑別された紙幣Ｂや出金処理で斜行や重送等の異常搬送によって釣銭に適さないと鑑別された紙幣Ｂなどのリジェクト紙幣を収納する。
【００２６】
＜カセット＞
図４ないし図７を参照して、カセット３の構成について説明する。カセット３の説明における「上下」、「左右」、「前後」は図４の矢印に従う。当該方向は、説明の便宜上定めるものであり、本発明を限定するものではない。カセット３は、現金取扱機１内の現金の回収に用いられるものであり、図４に示すように、箱型をなしている。
【００２７】
図５に示すように、カセット３は、紙幣Ｂを収納する本体部３１と、本体部３１の前面に設置される内扉３２と、内扉３２の一部をなす回収扉３３と、内扉３２のさらに外側に設置されて前面を覆う外扉３４とを主に備えて構成されている。本体部３１、内扉３２、回収扉３３および外扉３４は、例えば、樹脂を成形したものである。
【００２８】
図５に示すカセット３に収容される紙幣Ｂを取り出すには、二通りの方法がある。
一つ目の方法は、内扉３２、回収扉３３および外扉３４の三つの扉を開放して紙幣Ｂを取り出す方法である。以下では、この取出し方法を「第一の取出し方法」と呼ぶことにする。二つ目の方法は、内扉３２を閉じたまま、回収扉３３および外扉３４の二つの扉を開放して紙幣Ｂを取り出す方法である。以下では、この取出し方法を「第二の取出し方法」と呼ぶことにする。
本実施形態における現金の回収は、第二の取出し方法を用いるものであり、以下では、特に取出し方法の特定をしない場合には、第二の取出し方法を用いるものとして説明を行う。
【００２９】
本体部３１は、回収する紙幣Ｂを内部に収納する筺体部材である。図５に示すように、本体部３１は、角筒部３１ａと、底部（後壁部）３１ｂと、屈曲部３１ｃと、を主に有しており、紙幣Ｂを収納可能な収納空間３１ｄが内部に形成されている。
底部３１ｂには、一対のローラ３１ｅ，３１ｆが設置されている。ローラ３１ｅ，３１ｆは、自動釣銭機１２の紙幣搬送路１２０を介して搬送された紙幣Ｂを収納空間３１ｄ内に送り込むものである。ローラ３１ｅの回転中心軸は、角筒部３１ａの側面に設置されるギヤ３１ｇ（図４参照）の回転中心軸と同一軸である。
【００３０】
角筒部３１ａの左右方向の長さは、紙幣Ｂの横幅に対して長くなっており、また、角筒部３１ａの前後方向の長さは、紙幣Ｂの縦幅に対して長くなっている。これにより、本体部３１は、角筒部３１ａ内に紙幣Ｂを横向きに収納する。なお、角筒部３１ａの高さは、収容する紙幣Ｂの最大枚数に合わせて適宜設定すればよい。また、角筒部３１ａの下側縁部には、内扉３２、回収扉３３および外扉３４を軸支する軸部３１ｉが形成されている。
屈曲部３１ｃは、角筒部３１ａの上側縁部を内側に屈曲させて形成されており、これにより、回収の際に紙幣Ｂが通過する矩形状の回収口３１ｈが開口形成されている。屈曲部３１ｃの上面には、カセット３を現金処理装置２に固定するための掛止部挿入孔３１ｊ，３１ｊ（図４参照）が形成されている。掛止部挿入孔３１ｊ，３１ｊについては後記する。
【００３１】
図６に示すように、内扉３２は、軸部３１ｉを回動中心として、本体部３１の前面に回動可能に設置される。内扉３２の回動動作は、回収扉３３の回動動作と一体になって行われるように構成されている。つまり、内扉３２を開放することで回収扉３３も併せて開放される。内扉３２は、前面に設置される錠３２ａにより施錠されており、図示しない鍵（例えば、マスタキーやメンテナンスキー）がなければ開かない構造になっている。内扉３２が開放されることで、収納空間３１ｄが外部に露出し、紙幣Ｂを取り出すことができる（第一の取出し方法）。
【００３２】
また、図７に示すように、内扉３２には、回収口３１ｈに連通する回収通路３２ｂが形成されている。回収通路３２ｂは、回収扉３３によって開閉することが可能であり、回収扉３３が開放された状態で回収通路３２ｂは回収口３１ｈに連通する。つまり、回収扉３３が開放されることで（図７のβ方向）、回収通路３２ｂを介して紙幣Ｂを取り出すことができる（第二の取出し方法）。
回収通路３２ｂの下部には、開放された回収扉３３が収容される回収扉収容孔３２ｃが形成されている。回収扉収容孔３２ｃは、回収扉３３に対応する形状をなしており、回収扉収容孔３２ｃには、開放位置における回収扉３３が嵌合する。回収扉収容孔３２ｃは、図５に示すように、外扉３４が閉じられた状態で外扉３４によって閉鎖される。
【００３３】
図６に示すように、内扉３２の左側面上部には、後記するキープレート６４（図１０参照）が挿入されるキープレート挿入孔３２ｄが形成されている。キープレート６４は、回収扉３３を開放させるための鍵状部材である。キープレート挿入孔３２ｄに挿入されたキープレート６４は、内扉３２のキープレート挿入孔３２ｄ近傍に収容される回収扉駆動機構３２ｅに干渉する。回収扉駆動機構３２ｅは、キープレート６４が干渉することにより、回収扉３３を開放する。
【００３４】
また、図６に示すように、内扉３２の上部右側は矩形状に切り欠かれることで凹部３２ｆが形成されており、凹部３２ｆには底面および背面より突出する板状の突出部３２ｇが形成されている。突出部３２ｇは、カセット３が現金処理装置２に設置されたか否かを検出することに用いられる。詳細は後記する。
【００３５】
図５に示すように、回収扉３３は、軸部３１ｉを回動中心として、本体部３１の回収口３１ｈに回動可能に設置される。回収扉３３の開放動作は、外扉３４が開放されることで（回収扉収容孔３２ｃが開放されることで）可能となる（図７参照）。開放位置において、回収扉３３の内面３３ａは、内扉３２と共に回収通路３２ｂを形成する。つまり、開放位置において、回収通路３２ｂの内壁と回収扉３３の内面３３ａとが紙幣Ｂの通過を妨げない程度に平らになる。なお、回収扉３３の内面３３ａには、図示しないローラが形成されていてもよい。これにより、紙幣Ｂは、より滑らかに回収通路３２ｂを通過することができる。
【００３６】
回収扉３３の閉鎖動作は、外扉３４の閉鎖動作に連動しており、回収扉３３を開放した状態で外扉３４を閉じると、回収扉３３の外面３３ｂが外扉３４に押され、回収扉３３と外扉３４とが一体になって回動する。そして、外扉３４が閉鎖位置に移動すると、回収扉３３も閉鎖位置に移動し、錠３２ａ（図６参照）により施錠される構造になっている。
【００３７】
外扉３４は、内扉３２を保護する保護部材である。つまり、外扉３４は、鍵などによる施錠機能がなく、図示しない爪形状の引掛け部により閉状態が維持されている。外扉３４は、軸部３１ｉを回動中心として、内扉３２の前面に回動可能に設置される。ここでの外扉３４は、内扉３２（特に、キープレート挿入孔３２ｄや突出部３２ｇ）を外部から隠すように構成されている。図６および図７に示すように、外扉３４は、底板３４ａと、前壁部３４ｂと、左右の側壁部３４ｃ，３４ｄと、頂板３４ｅと、を備えて構成される。
【００３８】
底板３４ａは、内扉３２の下部を覆い、回収扉収容孔３２ｃが外部に露出するのを防止している。また、前壁部３４ｂは、内扉３２の前部を覆い、回収通路３２ｂが外部に露出するのを防止している。なお、前壁部３４ｂの中央部分には、外扉３４を開放する際に掴まれる掴み部３４ｆが形成されている。外扉３４を開放する場合には、掴み部３４ｆを前方に引っ張ることにより、爪形状の引掛け部を撓ませて開放する。また、前壁部３４ｂの右側部分には、錠３２ａを外部に露出するための孔３４ｇが形成されている。
【００３９】
側壁部３４ｃは、内扉３２の左側を覆い、キープレート挿入孔３２ｄが外部に露出するのを防止している。また、側壁部３４ｄは、内扉３２の右側を覆い、頂板３４ｅと共に突出部３２ｇが外部に露出するのを防止している。頂板３４ｅは、左側および中央部分が切り欠かれており、凹部３２ｆの上部を覆うように形成されている。
【００４０】
＜現金処理装置＞
図８ないし図２１を参照して（適宜、図４ないし図７参照）、現金処理装置２の構成について説明する。現金処理装置２の説明における「上下」、「左右」、「前後」は図８の矢印に従う。当該方向は、説明の便宜上定めるものであり、本発明を限定するものではない。現金処理装置２は、現金取扱機１（図２参照）の売上金の回収処理等に使用されるものである。現金処理装置２は、紙幣を回収する紙幣回収部２ａと、硬貨を回収する硬貨回収部２ｂと、種々の情報の入力および出力が行われる入出力部２ｃと、を主に備えて構成されている。
【００４１】
図９ないし図１１を参照して紙幣回収部２ａの構成について説明する。図９は、紙幣回収部２ａの拡大図である。図１０は、紙幣回収部２ａにカセット３を装着した状態で操作レバー６２を操作した場合を想定した図である。図１１は、紙幣回収部２ａにカセット３を装着した状態を示す外観斜視図である。
図１１に示すように、紙幣回収部２ａには、外扉３４を開けた状態のカセット３が設置される。カセット３は、回収通路３２ｂ（図６参照）を下向きにした状態で、開いた外扉３４が手前になるように設置される。
【００４２】
図９に示すように、紙幣回収部２ａの筺体２１には、外扉３４を開いた状態のカセット３が設置される凹部２１ａが形成されている。凹部２１ａは、外扉３４を開いた状態のカセット３の形状に対応しており、凹部２１ａの底面２１ｂには、紙幣Ｂを収容するための紙幣収納部２２が形成されている。紙幣収納部２２の入り口には、紙幣収納部２２を閉鎖または開放可能に設けられたシャッタ２３が設けられている。シャッタ２３は前後方向（図９の矢印Ａ）にスライドする構成になっている。
【００４３】
凹部２１ａの左右の両側面は内扉３２に対応した形状をなしており、カセット３を凹部２１ａの底面２１ｂに接触させない状態で支持する支持台２１ｃ，２１ｄが形成されている。具体的には、支持台２１ｃ，２１ｄは、内扉３２の前面に当接する当接部２１ｃａ，２１ｄａを有し、カセット３が装着された状態で、シャッタ２３とカセット３との間には一時受け部６８ａが背面から前方に突出するための空間が形成される。
【００４４】
また、凹部２１ａの左側面と背面との境界部分には、カセット３の凹部３２ｆに対応した凸部２１ｅが形成されている。凸部２１ｅには、前後方向に溝が形成されており、カセット検知レバー５４（図１３参照）の一部（当接面５４ｄ）が外部に露出している。カセット３を紙幣回収部２ａに設置した場合に、凹部３２ｆに形成された突出部３２ｇが当接面５４ｄを押圧する。凹部２１ａの手前側に設置される凸部２１ｆは、外扉３４を固定するためのものである。
【００４５】
また、凹部２１ａの背面には、紙幣収納部２２に投入される紙幣を一時的に保持する紙幣回収機構６（図１４参照）の一部（一時受け部６８ａ）が収納されており、また、凹部２１ａの右側面には、カセット３が備える回収扉３３を開放する紙幣回収機構６（図１４参照）の一部（キープレート６４）が収納されている。一時受け部６８ａおよびキープレート６４は、操作レバー６２を操作することにより、凹部２１ａの背面または右側面から突出するように構成されている（図１０参照）。一時受け部６８ａは、紙幣収納部２２の上方に突出して、紙幣収納部２２を覆い隠す。また、キープレート６４は、カセット３のキープレート挿入孔３２ｄ（図６参照）に挿入されて、回収扉駆動機構３２ｅに干渉する。
【００４６】
また、凹部２１ａの背面には、紙幣回収部２ａに設置されたカセット３を固定するカセット固定機構５（図１２参照）の一部（掛止部５３ｂ，５３ｂ）が収納されている。掛止部５３ｂは、凹部２１ａの背面から前方に突出するように構成されている（図１０参照）。掛止部５３ｂは、カセット３に形成される掛止部挿入孔３１ｊに挿入されて、カセット３が取り外せないように掛止する。なお、掛止部５３ｂは、カセット３が装着されないと突出しないように構成されているが、図１０では説明の便宜上、突出した状態を図示している。
【００４７】
図１２を参照して、カセット固定機構５について説明する。図１２（ａ）は、シャッタ２３が閉鎖されている状態を示し、図１２（ｂ）は、シャッタ２３が開放されている状態を示す。
【００４８】
カセット固定機構５は、シャッタ２３の開閉に連動して、紙幣回収部２ａに装着されたカセット３を固定するリンク機構である。カセット固定機構５は、摺動運動と回転運動とを組み合わせた構造になっている。具体的には、カセット固定機構５は、本体部５１と、シャッタ検知レバー５２と、カセット固定部５３と、を備えた３節連鎖のリンク機構として構成されている。本体部５１は静止節であり、シャッタ検知レバー５２は原動節であり、カセット固定部５３は従動節である。
【００４９】
本体部５１は、ネジ５１ａによって現金処理装置２の筺体（例えば、筺体２１）に固設されている。本体部５１には、シャッタ検知レバー５２の摺動をガイドする図示しない長穴が形成されている。
シャッタ検知レバー５２は、シャッタ２３の開閉に連動して摺動する部材である。シャッタ検知レバー５２は、スライダ部５２ａと、シャッタ検知部５２ｂとを主に備えて構成されている。
【００５０】
スライダ部５２ａは、本体部５１に形成される図示しない長穴をガイドにして、上斜め前方から下斜め後方まで往復動する部材である。スライダ部５２ａとシャッタ２３とは平行に設置されておらず、前方から後方に向かって近接するように設置されている。スライダ部５２ａは、図示しないバネの付勢力を受ける被付勢部５２ｅを有し、図１２（ａ）に示す位置において、このバネの付勢力によって下斜め後方に向かって付勢力が加えられている。また、スライダ部５２ａは、カセット固定部５３とのジョイントの一部をなすジョイントポスト５２ｄを有する。
【００５１】
シャッタ検知部５２ｂは、スライダ部５２ａの下面から下方向に延設して形成されており、スライダ部５２ａと一体になって摺動する部材である。シャッタ検知部５２ｂの先端には、回転体５２ｃ（例えば、ローラ）が形成されており、図１２（ａ）に示す位置において、回転体５２ｃはシャッタ２３に当接している。
【００５２】
カセット固定部５３は、カセットを所定位置で固定する部材である。カセット固定部５３は、回動部５３ａと、掛止部５３ｂとを主に備えて構成されている。
回動部５３ａは、回動軸部５３ｃを中心にして回動する部材である。回動部５３ａには、シャッタ検知レバー５２とのジョイントの一部をなす溝５３ｄが形成されている。この溝５３ｄ内をジョイントポスト５２ｄが摺動し、ジョイントポスト５２ｄの位置によって回動部５３ａの向きが変化する。
【００５３】
掛止部５３ｂは、回動部５３ａから延設して形成されており、回動部５３ａと一体となって回動する部材である。掛止部５３ｂは、先端が曲がった鉤状をなしており、図１２（ａ）に示す位置において、紙幣回収部２ａの筺体２１内に収容（退避）されており（図９参照）、図１２（ｂ）に示す位置において、紙幣回収部２ａの筺体２１の背面から前方に突出する（図１０参照）。
【００５４】
つまり、シャッタ２３の退避動作（図１２（ｂ）の矢印Ｂ１）により、回転体５２ｃとシャッタ２３との当接が解除され、スライダ部５２ａは、バネの付勢力により下斜め後方に摺動する（図１２（ｂ）の矢印Ｂ２）。そして、スライダ部５２ａの摺動に連動して、回動部５３ａは、反時計回りに回動し（図１２（ｂ）の矢印Ｂ３）、掛止部５３ｂが紙幣回収部２ａの筺体２１の背面から前方に突出する（図１０参照）。これにより、掛止部５３ｂは、紙幣収納部２２の上方に載置されたカセット３の掛止部挿入孔３１ｊに掛止し、カセット３を紙幣収納部２２の上方の位置から取り外すことができなくなる。
【００５５】
また、図１３に示すように、カセット固定機構５は、カセット検知レバー５４を実装しており、カセット固定部５３は、カセット３が紙幣回収部２ａに設置されていない場合に、カセット検知レバー５４により回動が規制される。これにより、カセット３が紙幣回収部２ａに設置されていない場合には、紙幣回収部２ａの筺体２１の背面から掛止部５３ｂが前方に突出しないようになっている。
図１３（ａ）は、カセット３が設置されていない場合においてカセット検知レバー５４によって回動が規制されている状態を示し、図１３（ｂ）、（ｃ）は、カセット３が設置されている場合においてカセット検知レバー５４によって規制が解除された状態を示す。
【００５６】
カセット検知レバー５４は、カセット３の着脱動作に連動し、回動軸部５４ａを中心にして回動する部材である。カセット検知レバー５４は、図示しないバネの付勢力を受ける被付勢部５４ｂを有し、図１３（ａ）に示す位置において、このバネの付勢力によって時計回り（図１３（ａ）の矢印Ｃ１方向）に付勢力が加えられている。図１３（ａ）に示す位置では、回動規制部５４ｃがカセット固定部５３の一部に干渉して、カセット固定部５３の回動を規制する。その為、図１３（ａ）に示す状態で、図１２で説明した通りにシャッタ２３が退避された場合に、掛止部５３ｂが紙幣回収部２ａの筺体２１の背面から前方に突出しない。
【００５７】
また、カセット検知レバー５４は、カセット３が設置されることで、内扉３２の突出部３２ｇに当接する当接面５４ｄを有する。当接面５４ｄは、図９に示すように、筺体２１から外部に露出しており、カセット３が設置されることで突出部３２ｇによって下方（図１３（ｂ）の矢印Ｃ２方向）に押し込まれる。これにより、カセット検知レバー５４は、バネの付勢力に抗して反時計回りに回動し（図１３（ｂ）の矢印Ｃ３方向）、回動規制部５４ｃがカセット固定部５３に干渉しない位置に退避し、カセット固定部５３の回動の規制が解除される。その為、図１３（ｂ）に示すカセット３が設置された状態で、図１２で説明した通りにシャッタ２３が退避された場合に、掛止部５３ｂが紙幣回収部２ａの筺体２１の背面から前方に突出し、カセット３が固定される（図１３（ｃ）参照）。
【００５８】
図１４ないし図２１を参照して、紙幣回収機構６について説明する。
図１４は、実施形態に係る紙幣回収機構６（初期状態）の外観斜視図である。図１５は、実施形態に係る紙幣回収機構６（操作レバー操作時）の外観斜視図である。図１６は、実施形態に係る紙幣回収機構６（初期状態）の平面図である。図１７は、実施形態に係る紙幣回収機構６（操作レバー操作時）の平面図である。
図１８は、連結切離し機構６３（連結状態）の外観斜視図である。図１９は、連結切離し機構６３（連結状態）の縦断面図である。図２０は、連結切離し機構６３（切離し状態）の外観斜視図である。図２１は、連結切離し機構６３（切離し状態）の縦断面図である。
【００５９】
紙幣回収機構６は、操作者（例えば、店員）による操作レバー６２の操作に連動して、カセット３のキープレート挿入孔３２ｄ（図６参照）へのキープレート６４の挿入および抜脱を行うと共に、紙幣収納部２２上方への一時受け部６８ａの進出および紙幣収納部２２上部からの退避を行う。キープレート６４の挿入動作および一時受け部６８ａの進出動作は連動しており、また、キープレート６４の抜脱動作および一時受け部６８ａの退避動作は連動している。
【００６０】
紙幣回収機構６は、摺動運動と回転運動とを組み合わせた構造になっている。具体的には、図１４に示すように、紙幣回収機構６は、本体部６１と、操作レバー６２と、連結切離し機構６３と、キープレート６４と、中間リンク６５，６６，６７と、一時受け部材６８と、を備えた８節連鎖のリンク機構として構成されている。
【００６１】
キープレート６４の挿入および一時受け部６８ａの進出において、本体部６１は静止節であり、操作レバー６２は原動節であり、連結切離し機構６３および中間リンク６５，６６，６７は中間節であり、キープレート６４および一時受け部材６８は従動節である。
一方、キープレート６４の抜脱および一時受け部６８ａの退避において、本体部６１は静止節であり、一時受け部材６８は原動節であり、中間リンク６５，６６，６７は中間節であり、キープレート６４は従動節である。なお、操作レバー６２は、連結切離し機構６３によって連結が切り離されるので連動しない。
【００６２】
本体部６１は、図示しない固定手段によって現金処理装置２の筺体（例えば、筺体２１）に固設されている。本体部６１には、操作レバー６２、キープレート６４および中間リンク６６の摺動をガイドする複数の長穴６１ａ，６１ｂ，６１ｃが形成されている。
【００６３】
操作レバー６２は、本体部６１に形成される長穴６１ａをガイドにして、左右方向に往復動する部材である。操作レバー６２は、図示しないバネの付勢力を受ける被付勢部６２ａを有し、図１４に示す位置において、このバネの付勢力によって右方向に付勢力が加えられている。
【００６４】
連結切離し機構６３は、操作レバー６２とキープレート６４との連結、および操作レバー６２と中間リンク６５との連結を切り離す機構である。連結切離し機構６３は、図１８および図１９に示すように、ケース部６３ａと、回動部材６３ｂと、回動軸部６３ｃと、回動軸部６３ｃに巻かれたバネ６３ｄと、長穴６１ｂの左側に固設されるエスケープポスト６３ｅと、を主に備えて構成されている。
【００６５】
ケース部６３ａは、連結切離し機構６３の本体になる部材である。ケース部６３ａは、前壁部６３ａａ、天井部６３ａｂおよび後壁部６３ａｃからなり、側面視でコの字状をなす。ケース部６３ａは、ネジ６３ｆによって天井部６３ａｂを介して操作レバー６２に固設されており、操作レバー６２と一体になって摺動する。
【００６６】
回動部材６３ｂは、回動軸部６３ｃによって、ケース部６３ａ内に回動可能に軸支される部材である。回動部材６３ｂは、前壁部６３ｂａ、天井部６３ｂｂおよび後壁部６３ｂｃからなり、側面視でコの字状をなす。天井部６３ｂｂは、ケース部６３ａの天井部６３ａｂの前後方向の幅に対して小さくなっており、回動部材６３ｂは、ケース部６３ａ内に収容されている。回動軸部６３ｃは、ケース部６３ａの前壁部６３ａａから後壁部６３ａｃに亘って設置されており、前壁部６３ｂａおよび後壁部６３ｂｃを貫通する。
【００６７】
後壁部６３ｂｃには、正面視でコの字状の切り欠き部６３ｂｄ（図１９参照）が形成されており、初期位置において、切り欠き部６３ｂｄには、カシメポスト６４ｂが収容される。カシメポスト６４ｂは、キープレート６４に固設されており、キープレート６４と一体になって移動する。回動軸部６３ｃには、バネ６３ｄが巻かれており、回動部材６３ｂは、バネ６３ｄの付勢力によって時計回り（図１９の矢印Ｄ１方向）に付勢力が加えられている。これにより、切り欠き部６３ｂｄとカシメポスト６４ｂとの係合が外れにくくなっている。
【００６８】
また、後壁部６３ｂｃの左端および右端には、傾斜部６３ｂｅ，６３ｂｆが形成されている。傾斜部６３ｂｅは、回動部材６３ｂが左方向に摺動することにより、エスケープポスト６３ｅに当接する部分であり、回動部材６３ｂを反時計回り（図２１の矢印Ｅ１方向）に回動させるために形成されている。傾斜部６３ｂｆは、回動部材６３ｂが右方向に摺動することにより、カシメポスト６４ｂに当接する部分であり、回動部材６３ｂを時計回り（図２１の矢印Ｅ１方向）に回動させるために形成されている。
【００６９】
つまり、操作レバー６２が長穴６１ａの右端に位置する初期位置（図１８および図１９参照）においては、切り欠き部６３ｂｄにカシメポスト６４ｂが収容されることで、切り欠き部６３ｂｄとカシメポスト６４ｂとは係合している。この状態では、操作レバー６２とキープレート６４および中間リンク６５とが連結しており、操作レバー６２を移動することにより、操作レバー６２と一体になってキープレート６４および中間リンク６５が移動する。以下では、切り欠き部６３ｂｄにカシメポスト６４ｂが収容された状態を「連結状態」と呼ぶ場合がある。
【００７０】
連結状態において、操作レバー６２を長穴６１ａの左端まで移動させると、回動部材６３ｂの傾斜部６３ｂｅとエスケープポスト６３ｅとが当接し、さらに操作レバー６２を左方向に押し込むことで、回動部材６３ｂがバネ６３ｄの付勢力に抗して反時計回り（図２１の矢印Ｅ１方向）に回動する。これにより、切り欠き部６３ｂｄからカシメポスト６４ｂが解放され、切り欠き部６３ｂｄとカシメポスト６４ｂとの係合が解除される。この状態では、操作レバー６２とキープレート６４および中間リンク６５との連結が切り離されており、操作レバー６２を移動しなくても、キープレート６４および中間リンク６５が移動することができる。以下では、切り欠き部６３ｂｄにカシメポスト６４ｂが収容されていない状態を「非連結状態」と呼ぶ場合がある。
【００７１】
ここで、キープレート６４および中間リンク６５は、一時受け部材６８が備えるバネ６８ｅ（図１４参照）によって右方向（図２１の矢印Ｅ２方向）に付勢力が加えられており、非連結状態になることで、回動部材６３ｂを長穴６１ｂの左端に残したまま、キープレート６４および中間リンク６５は初期位置まで移動する。初期位置では、カシメポスト６４ｂは長穴６１ｂの右端に位置する（図２１の破線参照）。
【００７２】
なお、非連結状態において、操作レバー６２を長穴６１ａの右端まで移動させると、回動部材６３ｂの傾斜部６３ｂｆとカシメポスト６４ｂとが当接し、さらに操作レバー６２を右方向に押し込むことで、回動部材６３ｂがバネ６３ｄの付勢力に抗して反時計回りに回動する。これにより、切り欠き部６３ｂｄにカシメポスト６４ｂが収容され、切り欠き部６３ｂｄとカシメポスト６４ｂとが係合し、連結状態になる。
【００７３】
図１４に示すキープレート６４は、回収扉駆動機構３２ｅに干渉して回収扉３３を開放させるための部材（鍵状部材）である。キープレート６４は、回収扉駆動機構３２ｅに干渉する形状をなしていればよく、ここでは先端に向かって先細りになっている。
キープレート６４には、図１８に示すように、側面から前方に向かって突出するカシメポスト６４ｂが延設されている。カシメポスト６４ｂは、回動部材６３ｂに形成される切り欠き部６３ｂｄに係合する。
【００７４】
キープレート６４は、初期位置において、紙幣回収部２ａの筺体２１内に収容（退避）されており（図９参照）、操作レバー６２を操作することにより、紙幣回収部２ａの筺体２１の右側面から左方向に突出する（図１０参照）。突出したキープレート６４は、内扉３２に形成されるキープレート挿入孔３２ｄに挿入されて回収扉駆動機構３２ｅに干渉し、回収扉３３を開放させる。また、連結切離し機構６３により操作レバー６２との連結が切り離されることにで、キープレート６４は、バネ６８ｅ，６８ｅの付勢力により右方向に移動し、紙幣回収部２ａの筺体２１内に収容（退避）される。
【００７５】
図１４に示す中間リンク６５，６６，６７は、操作レバー６２およびキープレート６４と一時受け部材６８とを連結させるための部材である。
中間リンク６５は、細長い板状をなしており、回動軸部６５ａを中心にして回動する。中間リンク６５は、一端が操作レバー６２に連結されており、他端が中間リンク６６に連結されている。
【００７６】
中間リンク６６は、板材を折り曲げて形成されており、長穴６１ｃをガイドにして、左右方向に往復動する部材である。中間リンク６６は、中間リンク６５および中間リンク６７に連結されている。
中間リンク６７は、平面視でＬ字状をなしており、回動軸部６７ａを中心にして回動する。中間リンク６７は、一端が中間リンク６６に連結されており、他端が一時受け部材６８に連結されている。
【００７７】
一時受け部材６８は、カセット３から投下された紙幣Ｂを一時的に保持し、その後に紙幣Ｂを紙幣収納部２２に投入する部材である。一時受け部材６８は、ジョイント６８ｃを介して中間リンク６７に連結されており、中間リンク６７に連動して前後方向に往復動する（図１６および図１７参照）。
【００７８】
一時受け部材６８は、一時受け部６８ａを備えて構成されている。一時受け部６８ａは、カセット３から投下された紙幣Ｂを受け止める部分であり、ここでは紙幣収納部２２よりも大きい矩形状をなしている。一時受け部６８ａは、初期位置において、紙幣回収部２ａの筺体２１内に収容（退避）されており（図９参照）、操作レバー６２を操作することにより、紙幣回収部２ａの筺体２１の背面から前方に突出する（図１０参照）。突出した一時受け部６８ａは、紙幣収納部２２を覆い隠し、カセット３から投下された紙幣Ｂを受け止める。
【００７９】
一時受け部６８ａの表面は、左右方向に対して中央付近が凹んだ形状をなしており、落下した衝撃で紙幣Ｂの位置が左右方向にずれないようになっている。また、一時受け部６８ａの表面には、前方から後方に向かって形成された突条の凸部６８ｂが複数形成されており、紙幣Ｂが一時受け部６８ａと筺体２１との隙間から現金処理装置２内に意図せず侵入することを防止している。
【００８０】
また、一時受け部材６８は、バネ６８ｅ，６８ｅの付勢力を受ける被付勢部６８ｄを有し、紙幣回収部２ａの筺体２１の背面から前方に突出した状態（図１５参照）において、このバネ６８ｅ，６８ｅの付勢力によって後方に向かって付勢力が加えられる。
この状態において、連結切離し機構６３により操作レバー６２との連結が切り離されることで、一時受け部材６８は、バネ６８ｅ，６８ｅの付勢力により後方に移動し、一時受け部６８ａは、紙幣回収部２ａの筺体２１内に瞬時に収容（退避）される。一時受け部６８ａ上に載置された紙幣Ｂは、一時受け部６８ａが筺体２１内に収容（退避）される過程において、紙幣収納部２２に落下する。このとき、一時受け部６８ａの表面に形成される凸部６８ｂにより、紙幣Ｂが引き込まれる大きさの隙間が筺体２１に形成されていないので、紙幣Ｂは引き込まれることなく確実に紙幣収納部２２に落下する。
【００８１】
≪実施形態に係る現金回収システムの動作≫
図２２ないし図２４を参照して（適宜、図１ないし図２１参照）、実施形態に係る現金回収システムＳの動作について説明する。
【００８２】
最初に、操作者（例えば、店員）は、現金取扱機１から紙幣Ｂが収納されたカセット３を取り出し、カセット３の外扉３４を開いた状態で紙幣回収部２ａの支持台２１ｃ上にセットする（図２２（ａ）参照）。これにより、内扉３２に形成された突出部３２ｇ（図６参照）がカセット検知レバー５４（図１３参照）の当接面５４ｄ（図１３参照）を押し込み、回動規制部５４ｃ（図１３参照）がカセット固定部５３（図１３参照）に干渉しない位置に退避し、カセット固定部５３の規制が解除される。
【００８３】
次に、操作者が入出力部２ｃを操作して入金コマンドを入力すると、シャッタ２３が開放し（図２２（ｂ）の矢印Ｆ１）、また、カセット固定部５３（図１２参照）の掛止部５３ｂが筺体２１から突出して（図２２（ｂ）の矢印Ｆ２）、カセット３が固定される（図２２（ｂ）参照）。これにより、カセット３を紙幣回収部２ａから取り外すことができなくなる。なお、この時点では、回収扉３３は開いておらず、紙幣Ｂはカセット３内に収納されたままである。
【００８４】
カセット３が固定された状態で、操作者が操作レバー６２を押し込むと、操作レバー６２の移動に連動してキープレート６４および一時受け部６８ａが筺体２１から徐々に突出する。突出したキープレート６４は、内扉３２に形成されるキープレート挿入孔３２ｄに挿入され、また、突出した一時受け部６８ａは、紙幣収納部２２を徐々に覆い隠す。
【００８５】
キープレート６４が筺体２１から所定量だけ突出された時点で、キープレート６４が回収扉駆動機構３２ｅ（図６参照）に干渉して、回収扉３３を開放させる（図２３（ａ）参照）。ここで、キープレート６４が回収扉駆動機構３２ｅに干渉するタイミングは、操作レバー６２の最終移動位置よりも手前であり、かつ、一時受け部６８ａが紙幣収納部２２の全体を覆い隠しているように設計されている。これにより、カセット３内に収容されていた紙幣Ｂは、回収通路３２ｂ（図７参照）を通過して、一時受け部６８ａ上に落下する。
【００８６】
操作者が操作レバー６２をさらに押し込む（最終移動位置まで押し込む）と、回動部材６３ｂがエスケープポスト６３ｅに押し当てられることで反時計回り（図２１の矢印Ｅ１方向）に回動し、操作レバー６２とキープレート６４および中間リンク６５との連結が切り離される。これにより、操作レバー６２をその位置（最終移動位置）に残したまま、キープレート６４および一時受け部６８ａがバネ６８ｅ（図１５参照）の付勢力によって筺体２１内に瞬時に退避する（図２３（ｂ）参照）。一時受け部６８ａ上に留まっていた紙幣Ｂは、一時受け部６８ａが退避することで紙幣回収部２ａに落下する。つまり、カセット３内の紙幣Ｂは、回収扉３３が開くことで一時受け部６８ａ上に一旦留まり、一時受け部６８ａが退避されることで紙幣収納部２２に投入される。
【００８７】
現金処理装置２は、紙幣収納部２２に紙幣Ｂが投入されることで入金処理を開始する。現金処理装置２は、入金処理中において、シャッタ２３を開放したままにしており、入金処理中もカセット３が紙幣回収部２ａに固定された状態を維持する（図２４（ａ）参照）。これにより、入金処理中についても、カセット３を紙幣回収部２ａから取り外すことができない。
【００８８】
入金処理が完了すると、シャッタ２３が閉まり、カセット固定部５３（図１２参照）の掛止部５３ｂが筺体２１内に退避する（図２４（ｂ）参照）。これにより、カセット３を紙幣回収部２ａから取り外すことができるようになる。カセット３を紙幣回収部２ａから取り外した後に、外扉３４を閉じることで回収扉３３が閉じられる。
【００８９】
以上のように、実施形態に係る現金回収システムＳは、現金処理装置２の筺体２１内に収容されるキープレート６４で開放される回収扉３３をカセット３が備える構成である。その為、カセット３内の紙幣Ｂに手を触れることなく、現金処理装置２に紙幣Ｂを入金することができる。
【００９０】
また、実施形態に係る現金回収システムＳは、現金処理装置２が紙幣収納部２２の上方に進退可能な一時受け部６８ａを備える構成である。そして、カセット３内の紙幣Ｂは、回収扉３３が開くことで一時受け部６８ａ上に一旦留まり、一時受け部６８ａが退避されることで紙幣収納部２２に投入される。つまり、紙幣Ｂの落下が二段階に分けられるので、紙幣Ｂの落下速度や落下距離を調整することができると共に紙幣Ｂを一時受け部６８ａ上で一旦整えることができる。その為、落下により紙幣Ｂがばらつくことを抑えることができるので、紙幣Ｂを紙幣収納部２２に安定して投入することができる。
【００９１】
また、実施形態に係る現金回収システムＳは、紙幣Ｂの落下距離を調整できることで、カセット３内に紙幣Ｂを収納する位置を任意に設定することができる。その為、カセット３の構成の自由度が増えるので、例えば、実施形態のように、回収扉３３および回収扉駆動機構３２ｅを紙幣Ｂの収納空間３１ｄの前方に設けることで、紙幣Ｂの収納空間３１ｄを広くすることができる。
【００９２】
また、実施形態に係る現金回収システムＳは、カセット３が備える回収扉３３の開放をキープレート６４が回収扉駆動機構３２ｅに干渉して行われるようにし、また、現金処理装置２が備える一時受け部６８ａの退避を操作レバー６２と一時受け部６８ａとの連結が切り離されることでバネ６８ｅの付勢力により行われる。つまり、紙幣Ｂの落下の起点になる回収扉３３の開放および一時受け部６８ａの退避は、共に操作レバー６２の移動速度に依存することなく瞬時に行われる。その為、落下に際して紙幣Ｂがばらつくことを抑えることができるので、紙幣Ｂを紙幣収納部２２に安定して投入することができる。さらに、一時受け部６８ａの退避が瞬時に行われても、一時受け部６８ａの表面に形成される凸部６８ｂにより、紙幣Ｂが引き込まれる大きさの隙間が筺体２１に形成されていないので、紙幣Ｂは引き込まれることなく確実に紙幣収納部２２に落下する。
【００９３】
また、実施形態に係る現金回収システムＳは、カセット固定機構５が、カセット検知レバー５４を実装しており（図１３参照）、カセット固定部５３は、カセット３が紙幣収納部２２の上方に載置されていない場合に、カセット検知レバー５４により回動が規制される。これにより、カセット３が載置されていない場合には、紙幣回収部２ａの筺体２１の背面から掛止部５３ｂが前方に突出しない。その為、現金処理装置２のカセット３を使用しない入金処理（例えば、第一の取出し方法で取り出した現金の入金処理）において、操作者（例えば、店員）の操作を惑わすなどの影響を与えることもない。
【００９４】
［変形例］
以上、本発明の実施形態について説明したが、本発明はこれに限定されるものではなく、その趣旨を変えない範囲で実施することができる。実施形態の変形例を以下に示す。
【００９５】
実施形態では、カセット検知レバー５４（図１３参照）を用いて機械的に紙幣回収部２ａへのカセット３の装着を検出していた。しかしながら、センサなどを用いて電気的に紙幣回収部２ａへのカセット３の装着を検出してもよい。
【００９６】
また、実施形態では、操作レバー６２を用いて手動でキープレート６４および一時受け部６８ａを筺体２１から突出させていた。しかしながら、紙幣回収機構６は、キープレート６４および一時受け部６８ａを突出させるための駆動源を別途備えるように構成されもよい。その場合、紙幣Ｂの投入のトリガーとなるスイッチ（または、ボタン）を備えるようにするのがよい。
【００９７】
また、実施形態では、現金処理装置２として、店舗のバックオフィスに設置される現金取引装置を想定して説明したが、カセット３内の現金を回収する装置はこれに限定されるものではない。例えば、銀行等の金融機関、小売業店舗等に設置される現金自動預払機（ＡＴＭ：Automated Teller Machine）に現金を回収させるようにしてもよい。
【００９８】
また、実施形態では、現金取扱機１として、店舗のチェックアウトカウンターに設置されるキャッシュレジスタを想定して説明したが、カセット３内に現金を収納する装置はこれに限定されない。つまり、カセット３は、内部に現金を収納することができれば、種類を問わない。
【００９９】
また、実施形態では、回収する現金として紙幣を想定して説明していたが、紙幣以外の現金（例えば、硬貨）やその他の媒体を回収してもよい。
【０１００】
また、実施形態では、カセット固定機構５や紙幣回収機構６などの駆動源として主にバネを想定していた、駆動源の種類はバネに限定されるものではない、例えば、他の弾性部材を用いてもよい。
【符号の説明】
【０１０１】
１      現金取扱機
２      現金処理装置
２２    紙幣収納部（媒体収納部）
２３    シャッタ
３      カセット
３１    本体部
３２    内扉
３２ｄ  キープレート挿入孔（鍵状部材挿入孔）
３２ｅ  回収扉駆動機構
３３    回収扉
３４    外扉
５      カセット固定機構
５２    シャッタ検知レバー
５３    カセット固定部
５３ｂ  掛止部
５４    カセット検知レバー
６      紙幣回収機構
６２    操作レバー
６３    連結切離し機構
６３ａ  ケース部
６３ｂ  回動部材
６３ｃ  回動軸部
６３ｄ  バネ（第２の弾性部材）
６３ｅ  エスケープポスト
６４    キープレート（鍵状部材）
６８ａ  一時受け部
６８ｅ  バネ（第１の弾性部材）
Ｓ      現金回収システム
Ｂ      紙幣（媒体）
【図１】
2018084999.tif 000003
【図２】
2018084999.tif 000004
【図３】
2018084999.tif 000005
【図４】
2018084999.tif 000006
【図５】
2018084999.tif 000007
【図６】
2018084999.tif 000008
【図７】
2018084999.tif 000009
【図８】
2018084999.tif 000010
【図９】
2018084999.tif 000011
【図１０】
2018084999.tif 000012
【図１１】
2018084999.tif 000013
【図１２】
2018084999.tif 000014
【図１３】
2018084999.tif 000015
【図１４】
2018084999.tif 000016
【図１５】
2018084999.tif 000017
【図１６】
2018084999.tif 000018
【図１７】
2018084999.tif 000019
【図１８】
2018084999.tif 000020
【図１９】
2018084999.tif 000021
【図２０】
2018084999.tif 000022
【図２１】
2018084999.tif 000023
【図２２】
2018084999.tif 000024
【図２３】
2018084999.tif 000025
【図２４】
2018084999.tif 000026